(57)【要約】      （修正有）【課題】配達物の大小や材質などにかかわらず、容易かつ確実に取り出すことができるとともに、内側のデザインが斬新で意匠的にも優れる郵便受け箱を提供する。【解決手段】前方又は後方に開口する受け箱本体１の開口部の下端部に蓋体２を前後に回動可能に設け、受け箱本体の内壁上部と蓋体の内壁上部との間にインナーシート３を、中央部が蓋体閉じ時に垂れ下がるようにして、蓋体を開いたときに、インナーシートの蓋体側の端部は前方に引き出されるから、受け箱本体と蓋体の間にはインナーシートが展張状態となり、背板部、底板部及び蓋体の内面や、受け箱本体と蓋体とを連結する支軸の近辺はインナーシートの裏側に隠れるようにする。【選択図】図２
2013212194.tif 000002
【特許請求の範囲】
【請求項１】
前方又は後方に開口する受け箱本体の開口部の下端部に蓋体を前後に回動可能に設け、受け箱本体の内壁上部と蓋体の内壁上部との間にインナーシートを、中央部が蓋体閉じ時に垂れ下がるように設けたことを特徴とする郵便受け箱。
【請求項２】
投函口が上記受け箱本体又は蓋体の上側に設けられていることを特徴とする、請求項１に記載の郵便受け箱。
【請求項３】
上記インナーシートは着脱可能に設けられていることを特徴とする、請求項１又は２に記載の郵便受け箱。
【発明の詳細な説明】
【技術分野】
【０００１】
本発明は、一般住宅や集合住宅に設置され、配達された郵便物を取り出すための郵便受け箱に関する。
【背景技術】
【０００２】
一般住宅の機能門柱などに設置された郵便受け箱として、特許文献１に示すように、受け箱本体の前又は後部が開口し、開口部を蓋体で回動開閉するとともに、受け箱本体の上部に郵便物、新聞等の配達物の投入口が設けられ、蓋体を開いて配達物を取り出すようにしたものが知られている。これは、受け箱本体の下端部と蓋体の下端部とを蝶番を介して開閉回動可能に連結したものである。このような構造においては、郵便、新聞、チラシ等の配達員は受け箱本体の上部の投函口から配達物を投入し、家人は蓋体を前方に回動させて開き、箱本体の内側に収納された配達物を取り出した後に蓋体を後方に回動させて閉じるようになっている。
【０００３】
このような構成の郵便受け箱は、前部の蓋体を回動させて大きな取出し開口が得られるので、配達物を取り出しやすく、利便性が高い。
【先行技術文献】
【特許文献】
【０００４】
【特許文献１】特開２００７−３２２６１３号公報
【発明の概要】
【発明が解決しようとする課題】
【０００５】
しかしながら、従来の郵便受け箱は、蓋を回動させて開いたときに蝶番や錠あるいは付属の機構部品などが直接に見えるため、内観体裁が良くないとか、葉書などの薄くて小さなものは、受け箱本体の内面に密着して引き離しにくいとか、蓋体と受け箱本体との間の隙間に引っ掛かるとか、上記隙間から落下するとかの問題があったが、このような内側の体裁や取り出しの際の不便などに注意が向けられることはなかった。
【０００６】
本発明は上記問題点を解消し、配達物の大小や材質などにかかわらず、容易かつ確実に取り出すことができるとともに、内側のデザインが斬新で意匠的にも優れる郵便受け箱を提供することをその課題とする。
【課題を解決するための手段】
【０００７】
上記課題を解決するため、請求項１に係る発明は、前方又は後方に開口する受け箱本体の開口部の下端部に蓋体を前後に回動可能に設け、受け箱本体の内壁上部と蓋体の内壁上部との間に可撓性を有するインナーシートを、中央部が蓋体閉鎖時に垂れ下がるように内張りしたことを特徴とする。
【０００８】
請求項２に係る発明は、請求項１において、投函口が上記受け箱本体の上側に設けられていることを特徴とする。
【０００９】
請求項３に係る発明は、請求項１又は２において、上記インナーシートは着脱可能に設けられていることを特徴とする。
【発明の効果】
【００１０】
請求項１に係る発明によれば、前方又は後方に開口する受け箱本体の開口部の下端部に蓋体を前後に回動可能に設け、受け箱本体の内壁上部と蓋体の内壁上部との間にインナーシートを、中央部が蓋体閉鎖時に垂れ下がるように設けたから、蓋体を開くと、インナーシートの蓋体側の端部は前方に引き出されて受け箱本体と蓋体の間にはインナーシートが展張状態となり、インナーシートの裏側にあるネジやヒンジ金具や機構部品はインナーシートの裏側に隠れてしまう。したがって、郵便受け箱を開いたときの内観体裁が向上し、しかも内側デザインが斬新であるから、意匠的にも優れる郵便受け箱を提供することができる。
【００１１】
また、受け箱本体を開口させたとき、受け箱本体と蓋体との間の隙間はインナーシートによってカバーされ、またインナーシートは可撓性を有するので、葉書などの薄くて小さなものでも密着したり、引っかかったりすることがない。受け箱本体と蓋体との間から落ちることもない。したがって、配達物を容易かつ確実に取り出すことができる。
【００１２】
さらに、インナーシートは郵便受け箱の内部に設けられているから、紫外線、風雨などの外部環境の影響を受けにくいから、汚損や褪色などによる劣化が生じにくい。
【００１３】
請求項２に係る発明によれば、投函口が上記受け箱本体又は蓋体の上側に設けられているので、郵便物、新聞、チラシ等の配達物が投入されると、配達物はインナーシートの面に沿って滑りながら底に移動するため、大きな音がせず、静かである。
【００１４】
請求項３に係る発明によれば、上記インナーシートは着脱可能に設けられているので、通常は受け箱本体や蓋体の方が耐久性が高いのであるが、インナーシートも交換することにより、受け箱本体や蓋体の耐久性に対応することができる。また、郵便受け箱の内面が汚れても、インナーシートを交換することで、投函された配達物が汚れるのを有効に防止することができる。
【図面の簡単な説明】
【００１５】
【図１】本発明に係る郵便受け箱の閉じ状態の斜視図
【図２】（ａ）（ｂ）は上記郵便受け箱の開き状態の斜視図
【図３】上記郵便受け箱の閉じ状態の中央縦断面図
【図４】上記郵便受け箱の横断面図
【図５】上記郵便受け箱の開き状態の中央縦断面図
【図６】図５の天板部の拡大図
【図７】図５の底板部の天板部の拡大図
【図８】図５の蓋体の一部の拡大図
【図９】（ａ）（ｂ）は郵便受け箱の他の実施形態の開き状態の斜視図
【発明を実施するための形態】
【００１６】
図１は郵便受け箱の閉じ状態、図２はその開き状態の斜視図である。同図において、郵便受け箱は受け箱本体１と蓋体２と内部に内張りされたインナーシート３とから構成されている。この郵便受け箱は前入れ前出し方式、つまり郵便受け箱の前から郵便物、新聞、チラシ等の配達物を投入し、前から配達物を取り出すように設定されている。
【００１７】
図１〜図４に示されるように、受け箱本体１は天板部４と底板部５と左右の側板部６と背板部７とからなり、前方が開口している。
【００１８】
図５及び図６に示されるように、天板部４の中央には郵便物、新聞、チラシ等の配達物の投函口１０が形成されている。この投函口１０の周縁部には回り縁１１が立ち上げ形成され、投函口１０の両側と後部には、回り縁１１の周囲にコ字形の支持壁部１２が形成されている。支持壁部１２には支軸１３を介して上蓋１４が上下方向に回動して開閉できるようになっている。なお、天板部４の前後部１５、１６は樋溝状に形成されている。１７は鍵受けである。
【００１９】
図７に示されるように、底板部５には複数のリブ状突条１８が平行に形成され、底部には通気や水抜きのための多数の小孔２０が形成されている。
【００２０】
図６に示されるように、側板部６の上端は天板部４の両側下面に突き当てられ、下端は折り曲げられて底板部５の両側下面に固定されている。両側部は折り曲げられて背板部７の後面両側に固定されている。
【００２１】
図３及び図５に示されるように、背板部７の上端は天板部４の両側下面に突き当てられ、天板部４の後端から下方に垂下した取付片２１にリベット止めされている。また、背板部７の内壁上部には、角筒状の取付縁２２が水平方向に設けられている。
【００２２】
次に、図８に示されるように、蓋体２は二重構造となっており、図２（ａ）（ｂ）に示すように、その内側の両側部に沿って表面に対して直角のストッパ用止め壁２３が形成されている。両側の止め壁２３は受け箱本体１の開口部の内側に納まる間隔に形成されている。また、蓋体２の上部中央には開閉ダイヤル２４が回動自在に取り付けられ、円柱状のダイヤル本体２５は蓋体２を貫通し、その後端の一部には鍵部２６が外方に突出している。なお、止め壁２３の高さは、開閉ダイヤル２４の鍵部２６の先端の高さと略同じに設定されている。
【００２３】
蓋体２の下部両側部は、図３及び図７に示されるように、支軸２８を介して受け箱本体１の底板部５の前部両側部に回動自在に連結されている。支軸２８は蝶番などのヒンジ金具に設けられているものでもよい。上記支軸２８を介して回動させることにより、受け箱本体１を開閉できるようになっている。閉じ時には、図３のように、蓋体２の後面の周縁部が受け箱本体１の前面の周縁部に当接し、蓋体２の開閉ダイヤル２４を回転させて先端の鍵部２６を受け箱本体１の天板部４の鍵受け１７に係合させることにより閉じ状態をロックすることができる。開くときは、ロックを外せばよい。
【００２４】
次に、受け箱本体１の内壁上部と蓋体２の内壁上部との間に可撓性を有するインナーシート３が内張りされている。図５及び図６に示されるように、インナーシート３の一端３ａは受け箱本体１の背板部７の角筒状の取付縁２２にネジ止め固定され、他端３ｂは、図８に示されるように、蓋体２の裏面にネジ止め固定されている。端部３ｂは帯板状のカバー２７で覆われている。また、図４に示されるように、インナーシート３の幅は蓋体２の止め壁２３間の間隔と略同じにすればよい。これにより、受け箱本体１が閉じ状態にあるときは中央部が底板部５付近まで垂れ下がるようになっている。
【００２５】
上記構成の郵便受け箱は、通常は機能門柱に設置される。そして、受け箱本体１の開口部が蓋体２によって閉じているときは、図３に示されるように、インナーシート３は受け箱本体１の背板部７と蓋体２の裏面に沿って底板部５付近まで垂れ下がった状態になっているので、その内側には十分な収納空間が確保されている。図５のように蓋体２を開くと、インナーシート３の蓋体２側の端部は前方に引き出されるから、受け箱本体１と蓋体２の間にはインナーシート３が展張された状態で現れる。
【００２６】
上記郵便受け箱を使用するときは、上部の投函口１０から郵便物、新聞、チラシ等の配達物を投入すればよい。配達物はインナーシート３の内側に落下して収納される。このとき、配達物はインナーシート３の面に沿って滑りながら底に移動するため、配達部が硬いものであっても、大きな音がしない。
【００２７】
郵便受け箱の中の配達物を取り出すときは、開閉ダイヤル２４によりロックを外して蓋体２を引き出して回動させればよい。これにより、配達物はインナーシート３上に載置された状態となっているから、適宜取り出し、再び蓋体２を閉じればよい。
【００２８】
なお、蓋体２の開き角度は受け箱本体１の開口面に対して６０°〜７０°前後にするのが好ましい。したがって、蓋体２はこの程度まで開いたときに止まるように、公知の手段によって規制するのが望ましい。例えば、蓋体の下端に形成した係合部を開き時には
上述のように、蓋体２を開くと、インナーシート３の蓋体２側の端部は前方に引き出されるから、受け箱本体１と蓋体２の間にはインナーシート３が展張状態となり、背板部７、底板部５及び蓋体２の内面や、受け箱本体１と蓋体２とを連結する支軸の近辺はインナーシート３の裏側に隠れてしまう。したがって、郵便受け箱を開いたときの内観体裁が向上し、しかも内側デザインが斬新であるから、意匠的にも優れる郵便受け箱を提供することができる。
【００２９】
また、受け箱本体１を開口させたとき、受け箱本体１と蓋体２との間の隙間はインナーシート３によってカバーされ、またインナーシート３は可撓性を有するので、葉書などの薄くて小さなものでも密着したり、引っかかったりすることがない。受け箱本体１と蓋体２との間から落ちることもない。したがって、配達物を容易かつ確実に取り出すことができる。
【００３０】
さらに、インナーシート３は郵便受け箱の内部に設けられているから、紫外線、風雨などの外部環境の影響を受けにくく、汚損や褪色などによる劣化が生じにくい。
【００３１】
また、蓋体２の両側部には、配達物の逃げとインナーシート３の側方への振れを防止するストッパ用止め壁２３を形成したので、郵便受け箱を開口したときに、配達部の一部が横に流れても止め壁２３に当たって止められる。また、インナーシート３の横への振れも抑えられるので、常に良好な取り出しが可能となる。
【００３２】
なお、インナーシート３は着脱可能に設けるのが好ましい。これによれば、通常は受け箱本体１や蓋体２の方が耐久性が高いのであるが、インナーシート３も交換することにより、受け箱本体１や蓋体２の耐久性に対応することができる。また、郵便受け箱の内面が汚れても、インナーシート３を交換することで、配達物が汚れることが有効に防止される。
【００３３】
また、インナーシート３は、合成樹脂、布、これらの複合材等の表面が滑らかな素材によって製造すればよいが、素材は特に限定されない。目の細かいメッシュ素材によってもよい。
【００３４】
さらに、インナーシート３はアコーディオンのように伸縮可能に構成されたものであってもよい。この場合、受け箱本体１の閉じ時には縮小状態で垂れ下がりの度合いが小さく、折畳まれて全体の露出面積も小さくなっているから、風雨の影響を受けにくい。また、配達物が投入されたときは、その重量で伸びて伸張状態となるから、配達物の収納に特に問題はない。
【００３５】
また、インナーシートの取付態様も上述のものに限定されない。配達物の重量に耐えられるような態様であればよい。
【００３６】
投函口も、受け箱本体の上部に設けられている構成に限定されない。蓋体の上側に設けられていてもよい。
【００３７】
さらに、郵便受け箱は前入れ前出し方式に限定されない。図９（ａ）（ｂ）に示されるように、前入れ後出し方式、つまり郵便受け箱の前から配達物を投入し、後から配達物を取り出す構成であってもよい。同図において、上述の図と同じ符号は同じ部材を示している。
【００３８】
上記前入れ後出し方式の郵便受け箱は、図１〜図８に示した前入れ前出し方式の郵便受け箱の受け箱本体１の背板部７を外し、ここに同図に示した蓋体２を回動自在に装着することによって構成されている。図１〜図８で蓋体として示したものは、ここでは背板部となる。開閉ダイヤルは閉じ状態にロック状態にしておけばよい。
【００３９】
これに関連し、図９（ａ）（ｂ）の蓋体２を閉じ状態にロックし、背板部(図１〜図８で蓋体として示した)のロックを外して開閉可能とすれば、前入れ前出し方式の郵便受け箱に変更することができる。
【符号の説明】
【００４０】
１      受け箱本体
２      蓋体
３      インナーシート
４      天板部
５      底板部
６      側板部
７      背板部
【図１】
2013212194.tif 000003
【図２】
2013212194.tif 000004
【図３】
2013212194.tif 000005
【図４】
2013212194.tif 000006
【図５】
2013212194.tif 000007
【図６】
2013212194.tif 000008
【図７】
2013212194.tif 000009
【図８】
2013212194.tif 000010
【図９】
2013212194.tif 000011